(57)【特許請求の範囲】
【請求項１】
コンデンサとコイルとを直列に接続した第一の中間周波同調回路を設け、前記第一の中間周波同調回路と並列に第一のコイルと、第一のコンデンサとをそれぞれ接続し、前記第一の中間周波同調回路の一端を中間周波増幅回路の第一の出力端に接続し、コンデンサとコイルとを直列に接続した第二の中間周波同調回路を設け、前記第二の中間周波同調回路と並列に第二のコイルと、第二のコンデンサとをそれぞれ接続し、前記第二の中間周波同調回路の一端を前記中間周波増幅回路の第二の出力端に接続し、前記第一の中間周波同調回路及び前記第二の中間周波同調回路のそれぞれの他端から中間周波信号を取り出すようにし、前記第一の中間周波同調回路と前記第一のコイルとで第一のトラップ回路を構成し、前記第一の中間周波同調回路と前記第一のコンデンサとで第二のトラップ回路を構成し、前記第二の中間周波同調回路と前記第二のコイルとで第三のトラップ回路を構成し、前記第二の中間周波同調回路と前記第二のコンデンサとで第四のトラップ回路を構成し、前記第一のトラップ回路及び前記第三のトラップ回路とで、第一の隣接チャンネルの映像中間周波信号及び第二の隣接チャンネルの映像中間周波信号をトラップし、前記第二のトラップ回路及び前記第四のトラップ回路で第一の隣接チャンネルの音声中間周波信号及び第二の隣接チャンネルの音声中間周波信号をトラップすることを特徴とする中間周波出力回路。
【請求項２】
前記第一のトラップ回路のトラップ周波数と前記第三のトラップ回路のトラップ周波数とを同じ周波数にし、前記第二のトラップ回路のトラップ周波数と前記第四のトラップ回路のトラップ周波数とを同じ周波数にし、前記第一のトラップ回路と前記第三のトラップ回路によって隣接チャンネルの映像中間周波信号をトラップし、前記第二のトラップ回路と前記第四のトラップ回路とで隣接チャンネルの音声中間周波信号をトラップすることを特徴とする請求項１記載の中間周波出力回路。
【請求項３】
コンデンサとコイルとを直列に接続した第一の中間周波同調回路を設け、前記第一の中間周波同調回路と並列にインダクタを接続し、前記第一の中間周波同調回路の一端を中間周波増幅回路の第一の出力端に接続し、コンデンサとコイルとを直列に接続した第二の中間周波同調回路を設け、前記第二の中間周波同調回路と並列に容量手段を接続し、前記第二の中間周波同調回路の一端を前記中間周波増幅回路の第二の出力端に接続し、前記第一の中間周波同調回路及び前記第二の中間周波同調回路のそれぞれの他端から中間周波信号を取り出すようにし、前記第一の中間周波同調回路と前記インダクタとで隣接チャンネルの映像中間周波信号をトラップし、前記第二の中間周波同調回路と前記容量手段とで隣接チャンネルの音声中間周波信号をトラップすることを特徴とする中間周波出力回路。
【発明の詳細な説明】
【０００１】
【発明の属する技術分野】
本発明は、隣接チャンネルの映像中間周波信号及び音声中間周波信号を減衰するようにしたテレビジョンチューナーの中間周波出力回路に関する。
【０００２】
【従来の技術】
従来の中間周波出力回路（以下、ＩＦ出力回路という）を図５によって説明する。図５において、中間周波増幅回路（以下、ＩＦ増幅回路という）３１にはテレビジョンチューナの混合器（図示せず）で中間周波信号に周波数変換されたテレビジョン信号が入力される。
ここで、ＩＦ増幅回路３１は、差動増幅回路等によって、平衡型増幅回路として構成されている。
そして、ＩＦ増幅回路３１の一方の出力端３１ａには、直列共振回路で構成された第一の中間周波同調回路（以下、第一のＩＦ同調回路という）３２の一端が接続され、この第一のＩＦ同調回路３２の他端にはさらにブリッジＴ型の第一のトラップ回路３３とブリッジＴ型の第二のトラップ回路３４とが並列に接続されている。
同様に、ＩＦ増幅回路３１の他方の出力端３１ｂにも、直列共振回路で構成された第二の中間周波同調回路（以下、第二のＩＦ同調回路という）３５の一端が接続され、この第二のＩＦ同調回路３５の他端にはさらにブリッジＴ型の第三のトラップ回路３６とブリッジＴ型の第四のトラップ回路３７とが並列に接続されている。
そして、第一のトラップ回路３３及び第二のトラップ回路３４の出力端３８及び第三のトラップ回路３６及び第四のトラップ回路３７の出力端３９がテレビジョン受信機側の中間周波増幅回路（図示せず）に接続されている。
【０００３】
第一のＩＦ同調回路３２は、コイル３２ａとコンデンサ３２ｂとで構成され、同様に、第二のＩＦ同調回路３５は、コイル３５ａとコンデンサ３５ｂとで構成されている。
そして、第一のＩＦ同調回路３２及び第二のＩＦ同調回路３５の共振周波数は、中間周波数帯のほぼ中心の周波数（例えば、欧州仕様（ドイツ）のテレビジョンチューナーにおいては、ほぼ３６．１５ＭＨｚ）に設定されている。
次に、第一のトラップ回路３３は、信号伝送路に直列に設けられた抵抗４０と、この抵抗４０の両端にそれぞれ一端が接続された二つのコンデンサ３３ａ及び３３ｂと、この二つのコンデンサ３３ａ、３３ｂの他端同士の接続点とグランドとの間に接続されたコイル３３ｃとで構成されている。
同様に、第二のトラップ回路３４は、抵抗４０と、抵抗４０の両端にそれぞれ一端が接続された二つのコンデンサ３４ａ及び３４ｂと、この二つのコンデンサ３４ａ、３４ｂの他端同士の接続点とグランドとの間に接続されたコイル３４ｃとで構成されている。
【０００４】
次に、第三のトラップ回路３６は、信号伝送路に直列に設けられた抵抗４１と、この抵抗４１の両端にそれぞれ一端が接続された二つのコンデンサ３６ａ及び３６ｂと、この二つのコンデンサ３６ａ、３６ｂの他端同士の接続点とグランドとの間に接続されたコイル３６ｃとで構成されている。
同様に、第四のトラップ回路３７は、抵抗４１と、抵抗４１の両端にそれぞれ一端が接続された二つのコンデンサ３７ａ及び３７ｂと、この二つのコンデンサ３７ａ、３７ｂの他端同士の接続点とグランドとの間に接続されたコイル３７ｃとで構成されている。
また、第一のトラップ回路３３及び第二のトラップ回路３４の出力端３８とグランドとの間に、コンデンサ４２が設けられている。同様に、第三のトラップ回路３６及び第四のトラップ回路３７の出力端３９とグランドとの間にコンデンサ４３が設けられている。
【０００５】
ところで、欧州仕様（例えばドイツ）のテレビジョンシステムでは、１チャンネルのテレビジョン信号の帯域が、ＶＨＦ帯とＵＨＦ帯とでは異なっており、ＶＨＦ帯では７ＭＨｚ、ＵＨＦ帯では８ＭＨｚとなっている。
この結果、ＶＨＦ帯の特定チャンネルのテレビジョン信号を受信した場合は、映像中間周波信号（周波数：３８．９ＭＨｚ）及び音声中間周波信号（周波数：３３．４ＭＨｚ）の近くに、一方の隣接チャンネルの音声中間周波信号（周波数：４０．４ＭＨｚ）及び他方の隣接チャンネルの映像中間周波信号（周波数：３１．９ＭＨｚ）がそれぞれ位置することになる。
また、ＵＨＦ帯の特定チャンネルのテレビジョン信号を受信した場合は、一方の隣接チャンネルの音声中間周波信号（周波数：４１．４ＭＨｚ）及び他方の隣接チャンネルの映像中間周波信号（周波数：３０．９ＭＨｚ）がそれぞれ位置することになる。
そのため、ＶＨＦ帯のテレビジョン信号又はＵＨＦ帯のテレビジョン信号のいずれを受信した場合においても、これらの隣接チャンネルの映像中間周波信号及び音声中間周波信号によって、受信したい特定チャンネルのテレビジョン信号が妨害されてしまうおそれがある。
【０００６】
そこで、例えば、第一のトラップ回路３３のトラップ周波数を、ＶＨＦ帯における一方の隣接チャンネルの音声中間周波信号の周波数（ｆ１＝４０．４ＭＨｚ）に、第二のトラップ回路３４のトラップ周波数をＶＨＦ帯における他方の隣接チャンネルの映像中間周波信号の周波数（ｆ２＝３１．９ＭＨｚ）になるようにあらかじめ設定する。
また、同様に、第三のトラップ回路３６のトラップ周波数を、ＵＨＦ帯における一方の隣接チャンネルの音声中間周波信号の周波数（ｆ３＝４１．４ＭＨｚ）に、第四のトラップ回路３７のトラップ周波数を、ＵＨＦ帯における他方の隣接チャンネルの映像中間周波信号の周波数（ｆ４＝３０．９ＭＨｚ）になるようにあらかじめ設定する。
この結果、隣接チャンネルの音声中間周波信号及び映像中間周波信号を減衰させ、図６に示す伝送特性を得ていた。
【０００７】
【発明が解決しようとする課題】
しかし、ＶＨＦ帯の特定チャンネルの映像中間周波信号に隣接する音声中間周波信号ｆ１、ＶＨＦ帯の特定チャンネルの音声中間周波信号に隣接する映像中間周波信号ｆ２、ＵＨＦ帯の特定チャンネルの映像中間周波信号に隣接する音声中間周波信号ｆ３及びＵＨＦ帯の特定チャンネルの音声信号に隣接する映像中間周波信号ｆ４を減衰するためだけに、ブリッジＴ型トラップ回路を設けていたため使用する素子が多くなり、コスト高になっていた。
また、ブリッジＴ型トラップ回路の構成上、信号伝送路上に抵抗が備えられているため、中間周波信号のレベルを下げていた。
本発明はこの問題を解決するためのもので、その目的は、ブリッジＴ型トラップ回路より簡単な構成で従来と同等の減衰ができ、レベルの減少の少ない、ＩＦ出力回路を低コストで構成することにある。
【０００８】
【課題を解決するための手段】
上記課題を解決するために、本発明は、コンデンサとコイルとを直列に接続した第一の中間周波同調回路を設け、第一の中間周波同調回路と並列に第一のコイルと、第一のコンデンサとをそれぞれ接続し、第一の中間周波同調回路の一端を中間周波増幅回路の第一の出力端に接続し、コンデンサとコイルとを直列に接続した第二の中間周波同調回路を設け、第二の中間周波同調回路と並列に第二のコイルと、第二のコンデンサとをそれぞれ接続し、第二の中間周波同調回路の一端を中間周波増幅回路の第二の出力端に接続し、第一の中間周波同調回路及び第二の中間周波同調回路のそれぞれの他端から中間周波信号を取り出すようにし、第一の中間周波同調回路と第一のコイルとで第一のトラップ回路を構成し、第一の中間周波同調回路と第一のコンデンサとで第二のトラップ回路を構成し、第二の中間周波同調回路と第二のコイルとで第三のトラップ回路を構成し、第二の中間周波同調回路と第二のコンデンサとで第四のトラップ回路を構成し、第一のトラップ回路及び第三のトラップ回路とで、第一の隣接チャンネルの映像中間周波信号及び第二の映像中間周波信号をトラップし、第二のトラップ回路及び第四のトラップ回路で第一の隣接チャンネルの音声中間周波信号及び第二の音声中間周波信号をトラップするようにした。
【０００９】
また、本発明は、第一のトラップ回路のトラップ周波数と第三のトラップ回路のトラップ周波数とを同じ周波数にし、第二のトラップ回路のトラップ周波数と第四のトラップ回路のトラップ周波数とを同じ周波数にし、第一のトラップ回路と第三のトラップ回路によって隣接チャンネルの映像中間周波信号をトラップし、第二のトラップ回路と第四のトラップ回路とで隣接チャンネルの音声中間周波信号をトラップするようにした。
【００１０】
また、本発明は、コンデンサとコイルとを直列に接続した第一の中間周波同調回路を設け、第一の中間周波同調回路と並列にインダクタを接続し、第一の中間周波同調回路の一端を中間周波増幅回路の第一の出力端に接続し、コンデンサとコイルとを直列に接続した第二の中間周波同調回路を設け、第二の中間周波同調回路と並列に容量手段を接続し、第二の中間周波同調回路の一端を中間周波増幅回路の第二の出力端に接続し、第一の中間周波同調回路及び第二の中間周波同調回路のそれぞれの他端から中間周波信号を取り出すようにし、第一の中間周波同調回路とインダクタとで隣接チャンネルの映像中間周波信号をトラップし、第二の中間周波同調回路と容量手段とで隣接チャンネルの音声中間周波信号をトラップするようにした。
【００１１】
【発明の実施の形態】
本発明の中間周波出力回路（以下、ＩＦ出力回路という）を図１に従って説明する。図１において、中間周波増幅回路（以下、ＩＦ増幅回路という）１には、テレビジョンチューナーの混合器（図示せず）で中間周波信号に周波数変換されたテレビジョン信号が入力される。
ここで、ＩＦ増幅回路１は、差動増幅回路等によって、平衡型増幅回路として構成されている。
そして、ＩＦ増幅回路１の第一の出力端１ａには、第一の中間周波同調回路（以下、第一のＩＦ同調回路という）２が接続され、同様に第二の出力端１ｂには、第二の中間周波同調回路（以下、第二のＩＦ同調回路という）３が接続されている。また、それぞれのＩＦ同調回路２、３の出力端２ａ及び３ａは、テレビジョン受信機側の中間周波増幅回路（図示せず）に接続されている。
まず、第一のＩＦ同調回路２は、一端同士で直列に接続されたコンデンサ４とコイル５とで構成され、この第一のＩＦ同調回路２には、インダクタ手段である第一のコイル６及び容量手段である第一のコンデンサ７が並列に接続されている。
この結果、第一のＩＦ同調回路２と第一のコイル６とによって、第一のトラップ回路８が構成され、又、第一のＩＦ同調回路２と第一のコンデンサ７とによって、第二のトラップ回路９が構成されている。
また、第一のＩＦ同調回路２の出力端２ａとグランドとの間にコンデンサ１０が接続されている。
【００１２】
同様に、第二のＩＦ同調回路３は、一端同士で直列に接続されたコンデンサ１１とコイル１２とで構成され、この第二のＩＦ同調回路３には、インダクタ手段である第二のコイル１３及び容量手段である第二のコンデンサ１４が並列に接続されている。
この結果、第二のＩＦ同調回路３と第二のコイル１３とによって、第三のトラップ回路１５が構成され、又、第二のＩＦ同調回路３と第二のコンデンサ１４とによって、第四のトラップ回路１６が構成されている。
また、第二のＩＦ同調回路３の出力端３ａとグランドとの間にコンデンサ１７が接続されている。
【００１３】
ここで、第一のＩＦ同調回路２の同調周波数と第二のＩＦ同調回路３の同調周波数は中間周波帯の中心周波数、例えば欧州（ドイツ）のテレビジョンシステムでは、ほぼ３６．１５ＭＨｚに設定されている。
従って、第一のトラップ回路８と第三のトラップ回路１５とは、中間周波帯の中心周波数よりも低い周波数をトラップし、第二のトラップ回路９と第四のトラップ回路１６とは中間周波帯の中心周波数より高い周波数をトラップすることになる。
ところで、例えば、欧州（ドイツ）のテレビジョンシステムを考えた場合、ＶＨＦ帯のテレビジョン信号の１チャンネルあたりの帯域は７ＭＨｚとなっており、又、ＵＨＦ帯のテレビジョン信号の１チャンネルあたりの帯域は、８ＭＨｚとなっている。
この結果、ＶＨＦ帯の特定チャンネルのテレビジョン信号を受信した場合は、映像中間周波信号（周波数：３８．９ＭＨｚ）及び音声中間周波信号（周波数：３３．４ＭＨｚ）の近くに、一方の隣接チャンネルの音声中間周波信号（周波数：４０．４ＭＨｚ）及び他方の隣接チャンネルの映像中間周波信号（周波数：３１．９ＭＨｚ）が、それぞれ位置することになる。
また、ＵＨＦ帯の特定チャンネルのテレビジョン信号を受信した場合には、映像中間周波信号及び音声中間周波信号の近くに、一方の隣接チャンネルの音声中間周波信号（周波数：４１．４ＭＨｚ）及び他方の隣接チャンネルの映像中間周波信号（周波数：３０．９ＭＨｚ）が、それぞれ位置することになる。
【００１４】
そこで、第一のトラップ回路８のトラップ周波数を、ＶＨＦ帯における一方の隣接チャンネルの映像中間周波信号（第一の隣接チャンネルの映像中間周波信号という）の周波数（ｆ１＝３１．９ＭＨｚ）に、第二のトラップ回路９のトラップ周波数をＶＨＦ帯における他方の隣接チャンネルの音声中間周波信号（第二の隣接チャンネルの音声中間周波信号という）の周波数（ｆ２＝４０．４ＭＨｚ）になるようにあらかじめ設定する。
また、同様に、第三のトラップ回路１５のトラップ周波数を、ＵＨＦ帯における一方の隣接チャンネルの映像中間周波信号（第二の隣接チャンネルの映像中間周波信号という）の周波数（ｆ３＝３０．９ＭＨｚ）に、第四のトラップ回路１６のトラップ周波数を、ＵＨＦ帯における他方の隣接チャンネルの音声中間周波信号（第二の隣接チャンネルの音声中間周波信号という）の周波数（ｆ４＝４１．４ＭＨｚ）になるようにあらかじめ設定する。
従って、このＩＦ出力回路は、図２に示すような伝送特性を得ることができ、簡単な回路構成でＶＨＦ帯又はＵＨＦ帯のいずれのテレビジョン信号を受信した場合でも、隣接チャンネルの映像中間周波信号及び音声中間周波信号による妨害を少なくすることができる。
【００１５】
また、例えば、ＶＨＦ帯における隣接チャンネルの映像中間周波数及び音声中間周波数のみを特に大きく減衰したい場合や、ドイツ以外の欧州のテレビジョンシステムのように、ＶＨＦ帯のテレビジョン信号だけを使用する場合、ＶＨＦ帯及びＵＨＦ帯のテレビジョン信号の１チャンネル当たりの帯域が同じ場合は、あらかじめ、第一のトラップ回路８のトラップ周波数と第三のトラップ回路１５のトラップ周波数とが等しくなるようにし、また、第二のトラップ回路９と第四のトラップ回路１６のトラップ周波数とが等しくなるように設計することで、隣接チャンネルの映像中間周波信号及び音声中間周波信号をより大きく減衰することができる。
この結果、このＩＦ出力回路は、図３に示すような伝送特性を得る。
なお、この場合は、隣接チャンネルの映像中間周波数及び音声中間周波数に対応して、第一ないし第四のトラップ回路８、９、１５、１６のトラップ周波数を適宜に設定すれば良い。
【００１６】
さらに図４は、図１に示す中間周波出力回路における第一のコンデンサ７及び第二のコイル１３を削除したもので、例えば、ＶＨＦ帯及びＵＨＦ帯のテレビジョン信号の１チャンネル当たりの帯域が同じ場合（例えば、日本の場合、６ＭＨｚ）のテレビジョンシステムに好適なＩＦ出力回路を示している。
そして、第一のトラップ回路８のトラップ周波数を、一方の隣接チャンネルの映像中間周波信号の周波数に、第四のトラップ回路１６を他方の隣接チャンネルの音声中間周波信号の周波数になるようにあらかじめ設定しておけば良い。
従って、このＩＦ出力回路は、図３に示すような伝送特性となり、より簡単な回路構成で隣接するチャンネルの映像中間周波信号及び音声中間周波信号を減衰できる。
【００１７】
【発明の効果】
以上のように、本発明の中間周波出力回路は、第一の中間周波同調回路と並列に第一のコイルと第一のコンデンサとを設け、第二の中間周波同調回路と並列に第二のコイルと第二のコンデンサとを設け、第一の中間周波同調回路と第一のコイルとで第一のトラップ回路を構成し、同様に第一の中間周波同調回路と第一のコンデンサとで第二のトラップ回路を構成し、第二の中間周波同調回路と第二のコイルとで第三のトラップ回路を構成し、同様に第二の中間周波同調回路と第二のコンデンサとで第四のトラップ回路を構成し、第一のトラップ回路及び第三のトラップ回路とで、第一の隣接チャンネルの映像中間周波信号及び第二の隣接チャンネルの映像中間周波信号をトラップし、第二のトラップ回路及び第四のトラップ回路で第一の隣接チャンネルの音声中間周波信号及び第二の隣接チャンネルの音声中間周波信号をトラップすることで、部品数が少なくて簡単な中間周波出力回路が実現でき、低コストで同等の減衰を得ることができる。また、ブリッジＴ型トラップ回路を使用していないのでが中間周波信号のレベルの減少がない。
【００１８】
また、本発明の中間周波出力回路は、第一のトラップ回路のトラップ周波数と第三のトラップ回路のトラップ周波数とを同じ周波数にし、第二のトラップ回路のトラップ周波数と第四のトラップ回路のトラップ周波数とを同じ周波数にし、第一のトラップ回路と第三のトラップ回路によって隣接チャンネルの映像中間周波信号をトラップし、第二のトラップ回路と第四のトラップ回路とで隣接チャンネルの音声中間周波信号をトラップすることで、妨害となる隣接する映像中間周波信号及び音声中間周波信号をより大きく減衰することができる。
【００１９】
また、本発明の中間周波出力回路は、コンデンサとコイルとを直列に接続した第一の中間周波同調回路を設け、第一の中間周波同調回路と並列にインダクタを接続し、第一の中間周波同調回路の一端を中間周波増幅回路の第一の出力端に接続し、コンデンサとコイルとを直列に接続した第二の中間周波同調回路を設け、第二の中間周波同調回路と並列に容量手段を接続し、第二の中間周波同調回路の一端を中間周波増幅回路の第二の出力端に接続し、第一の中間周波同調回路及び第二の中間周波同調回路のそれぞれの他端から中間周波信号を取り出すようにし、第一の中間周波同調回路とインダクタとで隣接チャンネルの映像中間周波信号をトラップし、第二の中間周波同調回路と容量手段とで隣接チャンネルの音声中間周波信号をトラップすることによって、ＶＨＦ帯及びＵＨＦ帯のテレビジョン信号の１チャンネル当たりの帯域が同じ場合には、より簡単な回路で同様な減衰特性を得ることができる。
【図面の簡単な説明】
【図１】本発明の中間周波出力回路である。
【図２】本発明の中間周波出力回路における伝送特性図である。
【図３】本発明の他の実施例における伝送特性図である。
【図４】本発明の中間周波出力回路の他の実施例である。
【図５】従来の中間周波出力回路を説明する回路図である。
【図６】従来の中間周波出力回路におけるの伝送特性図である。
【符号の説明】
１  中間周波増幅回路
１ａ  中間周波増幅回路の第一の出力端
１ｂ  中間周波増幅回路の第二の出力端
２  第一の中間周波同調回路
２ａ  第一の中間周波同調回路の出力端
３  第二の中間周波同調回路
３ａ  第二の中間周波同調回路の出力端
４，１０，１１，１７  コンデンサ
５，１２  コイル
６  第一のコイル
７  第一のコンデンサ
８  第一のトラップ回路
９  第二のトラップ回路
１３  第二のコイル
１４  第二のコンデンサ
１５  第三のトラップ
１６  第四のトラップ
【図１】
0003562952.tif 000002
【図２】
0003562952.tif 000003
【図３】
0003562952.tif 000004
【図４】
0003562952.tif 000005
【図５】
0003562952.tif 000006
【図６】
0003562952.tif 000007